(57)【特許請求の範囲】
【請求項１】
コンベアによって回路基板を搬送すると共に、フィーダによって供給される部品を吸着ノズルで吸着して該回路基板に実装する部品実装機において、
該部品実装機には、前記吸着ノズルの静電気除去を行うための第一のメンテナンス手段が配置され、
前記第一のメンテナンス手段とは前記吸着ノズルの静電気の除去速度又は効果持続時間が異なる第二のメンテナンス手段を前記コンベアによって定期的に搬送し、
前記第一のメンテナンス手段によって緊急時の静電気除去を行い、
前記コンベアによって前記第二のメンテナンス手段が所定位置に搬送されたときに、前記吸着ノズルをメンテナンス位置まで移動させて該第二のメンテナンス手段により予防的に該吸着ノズルの静電気除去を行うことを特徴とする部品実装機。
【請求項２】
前記第二のメンテナンス手段は、前記回路基板と同一幅の搬送板上に搭載され、該搬送板を前記コンベアに載せて搬送することで前記第二のメンテナンス手段を前記所定位置に搬送し、
前記搬送板には、前記第二のメンテナンス手段の情報を記憶又は記録した情報記録部が設けられ、
前記情報記録部に記憶又は記録された情報を読み取る情報読取り部を備えていることを特徴とする請求項１に記載の部品実装機。
【請求項３】
前記情報記録部は、前記第二のメンテナンス手段の情報を表すコードが記録され、
前記情報読取り部は、前記回路基板の基準位置マークを撮像するカメラであり、該カメラで前記情報記録部のコードを撮像して画像処理することで該コードを読み取ることを特徴とする請求項２に記載の部品実装機。
【請求項４】
前記回路基板の搬送経路に沿って複数台の部品実装機が配列されていることを特徴とする請求項１乃至３のいずれかに記載の部品実装機。
【請求項５】
前記コンベアによって複数種類のメンテナンス手段を搬送し、複数種類のメンテナンス手段の中から使用するメンテナンス手段を選択することを特徴とする請求項１乃至４のいずれかに記載の部品実装機。
【発明の詳細な説明】
【技術分野】
【０００１】
本発明は、部品実装機の吸着ノズル又は他の部位を静電気除去する機能を備えた部品実装機に関する発明である。
【背景技術】
【０００２】
例えば、特許文献１（特開２００１−６０７９４号公報）に記載された部品実装機は、装着ヘッド又は該装着ヘッドを移動させる移動機構に、除電手段を取り付け、フィーダによって供給される部品を該装着ヘッドの吸着ノズルで吸着して回路基板に実装する過程で、吸着ノズルとそれに吸着した部品の両方に対して、除電手段によりイオン化された空気をシャワー状に吹き付けて静電気を除去（除電）するようにしている。
【先行技術文献】
【特許文献】
【０００３】
【特許文献１】特開２００１−６０７９４号公報
【発明の概要】
【発明が解決しようとする課題】
【０００４】
上記特許文献１の構成では、部品実装機の装着ヘッド又は該装着ヘッドを移動させる移動機構に、予め除電手段を取り付けておく構成であり、吸着ノズルや吸着部品の静電気除去を行わない場合でも、除電手段が装着ヘッド又は移動機構と一体的に移動するため、部品吸着動作や部品実装動作の際に除電手段が他の部材と干渉する可能性があると共に、使用する除電手段も、イオン化された空気をシャワー状に吹き付ける構成のもの等に限定されてしまう。
【０００５】
そこで、本発明が解決しようとする課題は、吸着ノズル又は他の部位に対する静電気除去を自動的に行う機能を極めて安価に実現できると共に、静電気除去を行うためのメンテナンス手段が部品吸着動作や部品実装動作の邪魔にならず、且つ、メンテナンス手段の種類を選択する自由度が大きく、メンテナンス性を向上できる部品実装機を提供することである。
【課題を解決するための手段】
【０００６】
上記課題を解決するために、請求項１に係る発明は、コンベアによって回路基板を搬送すると共に、フィーダによって供給される部品を吸着ノズルで吸着して該回路基板に実装する部品実装機において、該部品実装機には、前記吸着ノズルの静電気除去を行うための第一のメンテナンス手段が配置され、前記第一のメンテナンス手段とは前記吸着ノズルの静電気の除去速度又は効果持続時間が異なる第二のメンテナンス手段を前記コンベアによって定期的に搬送し、前記第一のメンテナンス手段によって緊急時の静電気除去を行い、前記コンベアによって前記第二のメンテナンス手段が所定位置に搬送されたときに、前記吸着ノズルをメンテナンス位置まで移動させて該第二のメンテナンス手段により予防的に該吸着ノズルの静電気除去を行うようにしたものである。
【０００７】
この構成では、吸着ノズルの静電気除去を定期的に行うときに、コンベアによって第二のメンテナンス手段を定期的に搬送すれば良いため、予め第二のメンテナンス手段を部品実装機の装着ヘッド等に取り付けておく必要がなく、定期的に吸着ノズルの静電気除去を自動的に行う機能を極めて安価に実現できると共に、吸着ノズルの静電気除去を定期的に行うための第二のメンテナンス手段が部品吸着動作や部品実装動作の邪魔になることはない。しかも、コンベアで搬送可能なメンテナンス手段であれば、様々な種類のメンテナンス手段の中から使用する第二のメンテナンス手段を選択できるため、第二のメンテナンス手段の種類を選択する自由度が大きくなり、既存の部品実装機にも容易に適用して実施できる。
【０００９】
本発明は、請求項２のように、第二のメンテナンス手段を回路基板と同一幅の搬送板上に搭載し、該搬送板をコンベアに載せて搬送することで前記第二のメンテナンス手段を前記所定位置に搬送し、該搬送板には、前記第二のメンテナンス手段の情報を記憶又は記録した情報記録部を設け、該情報記録部に記憶又は記録された情報を読み取る情報読取り部を備えた構成とすると良い。
【００１０】
このようにすれば、第二のメンテナンス手段を搭載した搬送板を回路基板と全く同様に搬送できるため、部品実装基板の生産中に、定期的に第二のメンテナンス手段を搭載した搬送板を回路基板の中に混ぜて投入することが可能となり、部品実装基板の生産を継続しながら定期的に第二のメンテナンス手段を搬送して静電気除去を行うことができる。しかも、搬送板の情報記録部に記憶又は記録された情報を部品実装機の情報読取り部を読み取ることで、搬送板上の第二のメンテナンス手段の情報（例えば第二のメンテナンス手段の種類、位置、サイズ等）を自動的に取得することができるため、作業者が第二のメンテナンス手段の情報を入力する作業を行う必要がなく、作業性を向上できると共に、作業者の入力ミスによるメンテナンス不良の問題も解消できる。
【００１１】
この場合、情報記録部は、バーコード、２次元コード等のコードを記録したものでも良いし、電子的に記憶する電子タグや、磁気的に記録する磁気テープ等を用いても良い。情報記録部から第二のメンテナンス手段の情報を読み取る情報読取り部は、情報記録部の記録方式に応じて専用のリーダを設けても良いが、その分、コストアップする。
【００１２】
そこで、近年の部品実装機には、回路基板の基準位置マークを撮像するカメラが標準装備されていることを考慮して、請求項３のように、情報記録部に、第二のメンテナンス手段の情報を表すコードを記録し、情報読取り部として、回路基板の基準位置マークを撮像するカメラを使用し、該カメラで情報記録部のコードを撮像して画像処理することで該コードを読み取るようにすると良い。このようにすれば、情報記録部から第二のメンテナンス手段の情報を読み取る情報読取り部を、部品実装機に標準装備された基準位置マーク撮像用のカメラに兼用させることができ、コストアップを回避できる。
【００１３】
以上説明した請求項１〜３に係る発明は、請求項４のように、回路基板の搬送経路に沿って複数台の部品実装機を配列したものに適用しても良い。このようにすれば、複数台の部品実装機で共通の第二のメンテナンス手段を順番に使い回すことができ、複数台の部品実装機で使用する第二のメンテナンス手段の数を少なくできる。
【００１４】
また、請求項５のように、コンベアによって複数種類のメンテナンス手段を搬送し、複数種類のメンテナンス手段の中から使用するメンテナンス手段を選択するようにしても良い。このようにすれば、メンテナンスの対象部位に応じて、より適切なメンテナンス手段を選択できる。
【図面の簡単な説明】
【００１７】
【図１】図１は本発明の実施例１の部品実装システムの主要部の構成を説明する平面図である。
【図２】図２は実施例１の部品実装システムの外観斜視図である。
【図３】図３は本発明に関連する参考例としての実施例２の部品実装システムの主要部の構成を説明する平面図である。
【図４】図４（ａ）はドリルの上方から吸着ノズルを下降させてドリルに差し込む直前の状態を示す拡大断面図であり、同図（ｂ）は吸着ノズルをドリルに差し込んだ状態を示す拡大断面図である。
【図５】図５は本発明に関連する参考例としての実施例３のメンテナンス手段の取り替え方法を説明する図である。
【図６】図６は本発明に関連する参考例としての実施例４のメンテナンス手段の取り替え方法を説明する図である。
【発明を実施するための形態】
【００１８】
以下、本発明を実施するための形態をモジュール型部品実装システムに適用して具体化した４つの実施例１〜４を説明する。
【実施例１】
【００１９】
本発明の実施例１を図１及び図２を用いて説明する。
まず、図２に基づいてモジュール型部品実装システムの構成を説明する。
モジュール型部品実装システムのベース台１１上に、回路基板の搬送方向（Ｘ方向）に隣接して複数台の実装機モジュール１２（部品実装機）が取り替え可能に整列配置されている。各実装機モジュール１２は、本体ベッド１３上に、テープフィーダ等のフィーダ１４、回路基板を搬送するコンベア１５、部品撮像用のカメラ１６（パーツカメラ）、装着ヘッド１７、回路基板の基準位置マーク撮像用のカメラ（マークカメラ）等を搭載して構成されている。図示はしないが、装着ヘッド１７には、１本又は複数本の吸着ノズルが交換可能に保持され、ＸＹＺ方向に移動する移動機構によって装着ヘッド１７がＸＹＺ方向に移動して部品吸着動作と部品実装動作を行うようになっている。上部フレーム１８の前面部には、液晶ディスプレイ、ＣＲＴ等の表示装置１９と、操作キー等の操作部２０とが設けられている。
【００２０】
各実装機モジュール１２は、上流側の実装機モジュール１２から搬送されてくる回路基板をコンベア１５によって所定の実装位置まで搬送してクランプ機構（図示せず）で該回路基板をクランプして位置決めすると共に、フィーダ１４によって供給される部品を装着ヘッド１７の吸着ノズルで吸着してコンベア１５上の回路基板に実装する。
【００２１】
本実施例１では、図１に示すように、複数本（例えば２本）のコンベア１５が並列に設けられ、各コンベア１５でそれぞれ別の回路基板を搬送できるようになっている。各コンベア１５は、回路基板の搬送方向をガイドする基板ガイド１５ａ，１５ｂと、コンベアベルト（図示せず）等から構成されている。尚、コンベア１５を１本のみとした構成としても良いことは言うまでもない。
【００２２】
次に、吸着ノズルの静電気除去を行うための構成を説明する。
コンベア１５で搬送する回路基板と同一幅の搬送板２１を用い、この搬送板２１の所定位置に静電気除去手段２２（第二のメンテナンス手段）を搭載し、該搬送板２１をコンベア１５に載せて搬送することで静電気除去手段２２を所定位置へ搬送するようになっている。搬送板２１は、コンベア１５で搬送する回路基板と同一サイズ（同一の縦横寸法）でも良いが、回路基板と同一幅の搬送板２１であれば、部品実装基板の生産を継続しながら、定期的に回路基板の中に混ぜて搬送板２１をコンベア１５に投入して静電気の除去を行うことができる。尚、搬送板２１の幅が回路基板の幅と異なる場合は、静電気の除去を行うときに、部品実装基板の生産を停止して、コンベア１５の幅（基板ガイド１５ａ，１５ｂ間の幅）を搬送板２１の幅に合わせて変更すれば良い。
【００２３】
また、静電気除去手段２２は、搬送板２１上に載せただけでも良いが、搬送中や後述する静電気除去動作中に静電気除去手段２２が搬送板２１上を位置ずれしないようにするために、該静電気除去手段２２をねじ止め、接着、係合等により搬送板２１上に固定しても良い。或は、静電気除去手段２２と搬送板２１とを一体に形成しても良い。
【００２４】
静電気除去手段２２は、どの様な構成のものであっても良く、要は、吸着ノズルに帯電した静電気を除去できるものであれば良い。従って、静電気除去手段２２は、例えば、クリーンルームで使用する精密な静電気除去装置でも良いし、安価な静電気ブラシや、市販の除電シート等を用いても良く、作業者が入手可能な様々な種類の静電気除去手段の中から、除電性能、価格、サイズ等を考慮して選択すれば良い。
【００２５】
搬送板２１の所定位置（例えば回路基板の基準位置マークと同じ位置）には、静電気除去手段２２の種類、位置、サイズ等の情報を記憶又は記録した情報記録部２３が設けられている。この情報記録部２３は、バーコード、２次元コード等のコードを記録したものでも良いし、電子的に記憶する電子タグや、磁気的に記録する磁気テープ等を用いても良い。情報記録部２３から静電気除去手段２２の情報を読み取る情報読取り部は、情報記録部２３の記録方式に応じて専用のリーダを設けても良いが、その分、コストアップする。
【００２６】
そこで、各実装機モジュール１２には、回路基板の基準位置マーク撮像用のカメラ（マークカメラ）が標準装備されていることを考慮して、本実施例１では、情報記録部２３に、静電気除去手段２２の情報を表すコードを記録し、情報読取り部２３として、基準位置マーク撮像用のカメラを使用し、該カメラで情報記録部２３のコードを撮像して画像処理することで該コードを読み取るようにしている。このようにすれば、情報記録部２３から静電気除去手段２２の情報を読み取る情報読取り部を、実装機モジュール１２に標準装備された基準位置マーク撮像用のカメラに兼用させることができ、コストアップを回避できる。
【００２７】
ところで、モジュール型部品実装システムの稼働時間が長くなるに従って、装着ヘッド１７の吸着ノズルに帯電する静電気量が増加して、静電気による部品吸着動作のエラーや部品実装動作のエラーが発生する頻度が増加する。
【００２８】
この対策として、吸着ノズルの静電気によるエラーが発生する頻度を調査したデータ等に基づいて、吸着ノズルの静電気を除去する時間間隔を予め決めておき、この時間が経過する毎に、次のようにして吸着ノズルの静電気を除去する。
【００２９】
まず、静電気除去手段２２を搭載した搬送板２１をコンベア１５に投入する。この際、モジュール型部品実装システムの稼働を停止することなく、部品実装基板の生産を継続しながら、回路基板の中に混ぜて搬送板２１をコンベア１５に投入しても良いし、部品実装基板の生産終了時に搬送板２１をコンベア１５に投入しても良い。また、本実施例１のように、複数本のコンベア１５を備えている場合、部品実装基板の生産に使用していない未使用のコンベアがあれば、その未使用のコンベアを静電気除去手段２２の搬送専用のコンベアとして用いても良い。
【００３０】
コンベア１５による搬送板２１の搬送動作は、回路基板の搬送動作と同じであり、搬送板２１が実装機モジュール１２の所定の実装位置まで搬送されると、該搬送板２１がクランプ機構（図示せず）でクランプされて位置決めされた状態となる。この後、実装機モジュール１２の制御装置（図示せず）は、基準マーク撮像用のカメラを搬送板２１の情報記録部２３の上方（回路基板の基準位置マークの上方と同じ位置）へ移動させて、該カメラで情報記録部２３のコードを撮像して画像処理することで該コードを読み取る。
【００３１】
これにより、実装機モジュール１２の制御装置は、クランプされている基板が静電気除去手段２２の搬送板２１か回路基板かを判別すると共に、静電気除去手段２２の搬送板２１と判断した場合は、読み取ったコードから静電気除去手段２２の種類、位置、サイズ等の情報を認識する。
【００３２】
この後、実装機モジュール１２の制御装置は、読み取った情報に基づいて装着ヘッド１７の吸着ノズルを静電気除去手段２２の上方に移動させて、該吸着ノズルに帯電した静電気を静電気除去手段２２により取り除く。この際、例えば、静電気除去手段２２が静電気ブラシの場合は、装着ヘッド１７を静電気ブラシ上で移動させて該装着ヘッド１７の吸着ノズルを静電気ブラシでブラッシングすれば良い。また、静電気除去手段２２が除電シートの場合は、装着ヘッド１７の吸着ノズルを除電シートに接触させれば良い。
【００３３】
以上説明した本実施例１によれば、吸着ノズルの静電気除去を行うときに、コンベア１５によって静電気除去手段２２を搬送すれば良いため、予め静電気除去手段２２を実装機モジュール１２の装着ヘッド１７等に取り付けておく必要がなく、吸着ノズルの静電気除去を自動的に行う機能を極めて安価に実現できると共に、吸着ノズルの静電気除去を行うための静電気除去手段２２が部品吸着動作や部品実装動作の邪魔になることはない。しかも、コンベア１５で搬送可能な静電気除去手段であれば、様々な種類の静電気除去手段の中から使用する静電気除去手段２２を選択できるため、静電気除去手段２２の種類を選択する自由度が大きくなり、既存の部品実装機にも容易に適用して実施できる。
【００３４】
前述したように、搬送板２１に搭載する静電気除去手段２２は、安価な静電気ブラシや市販の除電シート等に限定されず、高価な静電気除去装置を用いても良い。一般に、高価な静電気除去装置は、安価なものに比べて、静電気の除去速度や効果持続時間等が優れている。従って、各実装機モジュール１２毎に安価な静電気除去手段（第一のメンテナンス手段）を配置して、緊急時の静電気除去を行い、定期的に高価な静電気除去装置（第二のメンテナンス手段）を搬送して、予防的に静電気対策を行うようにしても良い。静電気除去装置にオン／オフスイッチが付いている場合は、装着ヘッド１７でオン／オフスイッチを操作するようにしても良い。
【００３５】
また、搬送板２１上に複数種類の静電気除去手段を搭載して、吸着ノズルの種類（ノズル径等）に応じて複数種類の静電気除去手段の中から最適な静電気除去手段を選択して静電気を除去するようにしても良い。この場合も、搬送板２１上に搭載した複数種類の静電気除去手段の種類、位置、サイズ等の情報を情報記録部２３に記憶又は記録しておけば良い。
【実施例２】
【００３６】
上記実施例１では、吸着ノズルの静電気を除去するようにしたが、図３及び図４に示す本発明に関連する参考例としての実施例２では、静電気除去手段２２に代えて、吸着ノズル２４をクリーニングするクリーニング手段２５を搭載した搬送板２１をコンベア１５によって所定位置まで搬送し、装着ヘッド１７をクリーニング手段２５の上方に移動させて、装着ヘッド１７の吸着ノズル２４のノズル孔を該クリーニング手段２５によりクリーニングするようにしている。以下の説明では、上記実施例１と実質的に同一部分については同一符号を付して説明を省略又は簡略化し、主として異なる部分について説明する。
【００３７】
従来は、吸着ノズル２４のノズル孔のクリーニングを作業者が手作業で行っていたため、非常に手間のかかる作業となっていた。
そこで、本実施例２では、吸着ノズル２４のノズル孔のクリーニング作業を自動化するために、図４に示す構成のクリーニング手段２５を用いる。クリーニング手段２５は、各実装機モジュール１２で使用する吸着ノズル２４の孔径の種類数と同数又はそれ以上の本数の外径の異なるドリル２６を上向きに固定し、吸着ノズル２４の孔径に合った１本のドリル２６を選択して、当該ドリル２６に上方から当該吸着ノズル２４のノズル孔を差し込むことで、吸着ノズル２４のノズル孔をクリーニングする。
【００３８】
また、ドリル２６は細いため、これを保護する円筒部材２７をドリル２６と同心状に設けている。この円筒部材２７の内径は、ドリル２６に差し込む吸着ノズル２４の外径よりも若干大きく形成され、ドリル２６への吸着ノズル２４の差し込みをガイドするガイド部材としても機能する。円筒部材２７の上端は、ドリル２６の上端よりも少し高くなっており、円筒部材２７の上端部内周側をテーパ状に形成すると共に、ドリル２６の上端部をテーパ状に形成することで、吸着ノズル２４を下降させてノズル孔をドリル２６に差し込む際に、吸着ノズル２４をドリル２６に対して自動的に位置合わせして吸着ノズル２４のノズル孔をドリル２６にスムーズに差し込むことができるようになっている。
【００３９】
搬送板２１に設けた情報記録部２３には、クリーニング手段２５のドリル２６の径、位置等の情報が記憶又は記録されている。情報記録部２３は、バーコード、２次元コード等のコードを記録したものでも良いし、電子的に記憶する電子タグや、磁気的に記録する磁気テープ等を用いても良いが、本実施例２では、情報記録部２３に、クリーニング手段２５の情報を表すコードを記録し、情報読取り部２３として、基準位置マーク撮像用のカメラを使用し、該カメラで情報記録部２３のコードを撮像して画像処理することで該コードを読み取るようにしている。
【００４０】
ところで、モジュール型部品実装システムの稼働時間が長くなるに従って、吸着ノズル２４のノズル孔に異物が詰まって部品吸着不良が発生する頻度が増加する。
この対策として、吸着ノズル２４の部品吸着不良が発生する頻度を調査したデータ等に基づいて、吸着ノズル２４のノズル孔をクリーニングする時間間隔を予め決めておき、この時間が経過する毎に、次のようにして吸着ノズル２４のノズル孔をクリーニングする。      
【００４１】
まず、クリーニング手段２５を搭載した搬送板２１をコンベア１５に投入する。この際、モジュール型部品実装システムの稼働を停止することなく、部品実装基板の生産を継続しながら、回路基板の中に混ぜて搬送板２１をコンベア１５に投入しても良いし、部品実装基板の生産終了時に搬送板２１をコンベア１５に投入しても良い。また、複数本のコンベア１５を備えている場合、部品実装基板の生産に使用していない未使用のコンベアがあれば、その未使用のコンベアをクリーニング手段２５の搬送専用のコンベアとして用いても良い。
【００４２】
搬送板２１が実装機モジュール１２の所定の実装位置まで搬送されると、該搬送板２１がクランプ機構（図示せず）でクランプされて位置決めされた状態となる。この後、実装機モジュール１２の制御装置（図示せず）は、基準マーク撮像用のカメラを搬送板２１の情報記録部２３の上方へ移動させて、該カメラで情報記録部２３のコードを撮像して画像処理することで該コードを読み取る。
【００４３】
これにより、実装機モジュール１２の制御装置は、クランプされている基板がクリーニング手段２５の搬送板２１か回路基板かを判別すると共に、クリーニング手段２５の搬送板２１と判断した場合は、読み取ったコードからクリーニング手段２５のドリル２６の径、位置等の情報を認識する。この後、実装機モジュール１２の制御装置は、読み取った情報に基づいて、搬送板２１上の複数本のドリル２６の中から、クリーニング対象となる吸着ノズル２４の孔径に合った１本のドリル２６を選択して、当該ドリル２６の上方へ当該吸着ノズル２４を移動させて、当該吸着ノズル２４をゆっくり下降させることで、吸着ノズル２４のノズル孔をドリル２６に差し込んで吸着ノズル２４のノズル孔をクリーニングする。この際、吸着ノズル２４を回転させるようにしても良い。
【００４４】
以上説明した本実施例２では、吸着ノズル２４のノズル孔をクリーニングするときに、コンベア１５によってクリーニング手段２５を搬送すれば良いため、予めクリーニング手段２５を実装機モジュール１２の装着ヘッド１７等に取り付けておく必要がなく、吸着ノズル２４のノズル孔を自動的にクリーニングする機能を極めて安価に実現できると共に、吸着ノズル２４のノズル孔をクリーニングするクリーニング手段２５が部品吸着動作や部品実装動作の邪魔になることはない。しかも、コンベア１５で搬送可能なクリーニング手段２５であれば、様々な種類のクリーニング手段の中から使用するクリーニング手段２５を選択できるため、クリーニング手段２５の種類を選択する自由度が大きくなり、既存の部品実装機にも容易に適用して実施できる。
【００４５】
以上説明した実施例１，２では、搬送板２１に、第二のメンテナンス手段（静電気除去手段２２又はクリーニング手段２５）の情報を記憶又は記録した情報記録部２３を設け、該情報記録部２３に記憶又は記録された情報をカメラ等で読み取るようにしたため、作業者が第二のメンテナンス手段の情報を入力する作業を行う必要がなく、作業性を向上できると共に、作業者の入力ミスによるメンテナンス不良の問題も解消できる。
【００４６】
但し、本発明は、作業者が第二のメンテナンス手段の情報を、モジュール型部品実装システム全体を管理するホストコンピュータ等に入力するようにしても良い。
また、搬送板２１に静電気除去手段２２とクリーニング手段２５の両方を搭載して、吸着ノズル２４の静電気除去とクリーニングを適宜選択できるようにしても良い。
【実施例３】
【００４７】
上述した実施例１，２では、第二のメンテナンス手段（静電気除去手段２２又はクリーニング手段２５）を搬送板２１上に載せた状態で吸着ノズル２４の静電気除去又はクリーニングを行うようにしたが、吸着ノズル２４又はこれと一体的に移動する移動部（例えば装着ヘッド１７、装着ヘッド１７を保持する保持部、装着ヘッド１７に保持させたチャック等）にメンテナンス手段（静電気除去手段又はクリーニング手段）を保持させて実装機モジュール１２（部品実装機）の所定部位の静電気除去又はクリーニングを行うようにしても良い。
【００４８】
以下、これを具体化した本発明に関連する参考例としての実施例３を図５に基づいて説明する。但し、前記実施例１，２と実質的に同一部分については同一符号を付して説明を省略又は簡略化し、主として異なる部分について説明する。
【００４９】
本実施例３では、複数本の吸着ノズル２４を保持する装着ヘッド１７が保持部３１に着脱可能に保持されている。保持部３１は、移動機構によってＸＹＺ方向に移動する。
メンテナンス手段３２は、静電気除去手段であり、前記実施例１，２と同様に、様々な構成のものを使用可能である。メンテナンス手段３２の上部は、装着ヘッド１７の上部と同じ構成となっており、メンテナンス手段３２を保持部３１に保持させる構造が装着ヘッド１７を保持部３１に保持させる構造と共通化され、メンテナンス手段３２が装着ヘッド１７と取り替え可能となっている。
【００５０】
メンテナンス手段３２は、前記実施例１，２と同様の搬送板２１に載せてコンベア１５に投入する。搬送板２１の所定位置には、前記実施例１，２と同様の情報記録部２３が設けられ、該情報記録部２３には、メンテナンス手段３２の種類、位置、サイズ等の情報を表すコードが記録されている。
【００５１】
実装機モジュール１２の所定部位の静電気除去を行う場合は、メンテナンス手段３２を搬送板２１に載せてコンベア１５に投入する。搬送板２１が実装機モジュール１２の所定の実装位置まで搬送されると、該搬送板２１がクランプ機構（図示せず）でクランプされる。この後、実装機モジュール１２の制御装置（図示せず）は、基準マーク撮像用のカメラを搬送板２１の情報記録部２３の上方へ移動させて、該カメラで情報記録部２３のコードを撮像して画像処理することで該コードを読み取る。
【００５２】
これにより、実装機モジュール１２の制御装置は、クランプされている基板がメンテナンス手段３２の搬送板２１か回路基板かを判別すると共に、メンテナンス手段３２の搬送板２１と判断した場合は、読み取ったコードからメンテナンス手段３２の情報を認識すると共に、図５（ｂ）に示すように、保持部３１から装着ヘッド１７を取り外して、保持部３１を搬送板２１上のメンテナンス手段３２の上方に移動させて、図５（ｄ）に示すように、保持部３１にメンテナンス手段３２を保持させる。
【００５３】
この後、実装機モジュール１２の制御装置は、メンテナンス手段３２を保持した保持部３１を実装機モジュール１２の所定部位に移動させて、所定部位の静電気除去を行う。
【００５４】
以上説明した本実施例３では、実装機モジュール１２の内部を装着ヘッド１７の移動可能な範囲で静電気除去することができる。この場合も、実装機モジュール１２の所定部位の静電気除去を行うときに、コンベア１５によってメンテナンス手段３２を搬送すれば良いため、予めメンテナンス手段３２を実装機モジュール１２の装着ヘッド１７等に取り付けておく必要がなく、実装機モジュール１２の所定部位の静電気除去を自動的に行う機能を極めて安価に実現できると共に、実装機モジュール１２の所定部位の静電気除去を行うためのメンテナンス手段３２が部品吸着動作や部品実装動作の邪魔になることはない。しかも、コンベア１５で搬送可能なメンテナンス手段３２であれば、様々な種類のメンテナンス手段の中から使用するメンテナンス手段３２を選択できるため、メンテナンス手段３２の種類を選択する自由度が大きくなり、メンテナンス性を向上できる。
【００５５】
しかも、メンテナンス手段３２を保持部３１に保持させる構造を、装着ヘッド１７を保持部３１に保持させる構造と共通化したので、保持部３１側の保持構造を変更する必要がなく、コストアップを回避できる。
【実施例４】
【００５６】
図６に示す本発明に関連する参考例としての実施例４では、複数本の吸着ノズル２４を保持するノズルホルダ３３が装着ヘッド１７に着脱可能に保持されている。
本実施例４では、以下のような手順でメンテナンス手段３２を装着ヘッド１７に保持させる。
【００５７】
まず、図６（ｂ）に示すように、装着ヘッド１７からノズルホルダ３３を取り外し、該装着ヘッド１７にメカチャック３４を保持させる。この後、図６（ｅ）に示すように、メカチャック３４でメンテナンス手段３２を掴む。以上の動作は、実装機モジュール１２の制御装置によって自動的に行われる。その他の事項は、前記実施例３と同じである。
【００５８】
以上説明した本実施例４でも、前記実施例３と同様の効果を得ることができる。
尚、メンテナンス手段３２が小型のものであれば、吸着ノズル２４で吸着するようにしても良い。
【００５９】
上記各実施例１〜４では、回路基板の搬送経路に沿って複数台の実装機モジュール１２を配列し、複数台の実装機モジュール１２で共通のメンテナンス手段を順番に使い回すようにしたので、複数台の実装機モジュール１２で使用するメンテナンス手段の数を少なくできる利点がある。
【００６０】
但し、本発明は、１台のみの部品実装機にも適用して実施できる。
また、上記実施例３，４では、メンテナンス手段３２をコンベア１５によって搬送するようにしたが、メンテナンス手段３２を実装機モジュール１２の所定場所に保管し、実装機モジュール１２の所定部位の静電気除去を行うときに、上記実施例３，４と同様の方法で、吸着ノズル２４又はこれと一体的に移動する移動部（例えば装着ヘッド１７、装着ヘッド１７を保持する保持部３１、装着ヘッド１７に保持させたメカチャック３４等）にメンテナンス手段３２を保持させて実装機モジュール１２の所定部位の静電気除去を行うようにしても良い。このようにしても、実装機モジュール１２の内部を吸着ノズル２４又は装着ヘッド１７等の移動部の移動可能な範囲で静電気除去することができる。
【００６１】
その他、本発明は、上記各実施例１〜４に限定されず、例えば、保持部３１、装着ヘッド１７、吸着ノズル２４等の構成を適宜変更しても良い等、要旨を逸脱しない範囲で種々変更して実施できる。
【符号の説明】
【００６２】
１２…実装機モジュール（部品実装機）、１４…フィーダ、１５…コンベア、１５ａ，１５ｂ…基板ガイド、１７…装着ヘッド、２１…搬送板、２２…静電気除去手段（第二のメンテナンス手段）、２３…情報記録部、２４…吸着ノズル、２５…クリーニング手段、２６…ドリル、２７…円筒部材、３１…保持部（移動部）、３２…メンテナンス手段、３３…ノズルホルダ、３４…メカチャック
【図１】
0005679432.tif 000002
【図２】
0005679432.tif 000003
【図３】
0005679432.tif 000004
【図４】
0005679432.tif 000005
【図５】
0005679432.tif 000006
【図６】
0005679432.tif 000007